【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
コンピューター実行可能命令を組み込んだ１つ以上のコンピューター可読メモリ媒体であって、前記コンピューター実行可能命令が実行されると、ブラウジング活動に基づいて、１つ以上のアプリケーションを表出させる方法を実行し、該方法が、
ブラウザー・アドレス・バーにおいて検出したキャラクターに対応し、ネットワーク・アドレス・フォーマットを有する１つ以上のキャラクターを受け取るステップであって、前記ブラウザー・アドレス・バーが正式なネットワーク・アドレスではないものを有する、ステップと、
１つ以上のアプリケーションを、前記１つ以上のキャラクターから抽出した少なくとも１つのキーワードと照合するステップと、
前記１つ以上のキャラクターを受け取ったことに応答して、前記１つ以上の一致したアプリケーションの特定を伝えるステップと、
前記１つ以上の一致したアプリケーションを含む１つ以上の表出したアプリケーションを表示するステップと、
文書について見ることができるエリアを表示するステップと、
前記文書において前記１つ以上の表出したアプリケーションに対応するコンテンツを特定するステップと、
前記見ることができるエリアで可視となっている前記特定したコンテンツに基づいて、前記表示した１つ以上の表出したアプリケーションの表示の様式を変更するステップであって、前記変更した表示の様式が、前記表示した１つ以上の表出したアプリケーションの表示を含む、ステップと
を含む、コンピューター可読メモリ媒体。
【請求項２】
請求項１記載のコンピューター可読メモリ媒体において、ブラウザー・アドレス・バーにおいて検出したキャラクターに対応する１つ以上のキャラクターを受け取るステップが、前記１つ以上のキャラクターから抽出した少なくとも１つのキーワードを受け取るステップを含む、コンピューター可読メモリ媒体。
【請求項３】
請求項１記載のコンピューター可読メモリ媒体であって、前記方法が更に、前記１つ以上のキャラクターから１つ以上のキーワードを抽出するステップを含み、前記１つ以上のアプリケーションが、前記１つ以上のキーワードから抽出した前記少なくとも１つのキーワードと一致する、コンピューター可読メモリ媒体。
【請求項４】
請求項１記載のコンピューター可読メモリ媒体において、少なくとも１つのアプリケーションを、前記受け取ったキャラクターから抽出した少なくとも１つのキーワードと照合するステップが、
テキスト・フローの方向に対して最後のキャラクターを含む抽出キーワードを特定するステップと、
前記特定した抽出キーワードを１つ以上の追加のキャラクターで拡大し、複数の拡大キーワードを生成するステップと、
１つ以上の特定していない抽出キーワード、および前記複数の拡大キーワードから選択した拡大キーワードに基づいて、アプリケーションを照合するステップと、
を含む、コンピューター可読メモリ媒体。
【請求項５】
請求項１記載のコンピューター可読メモリ媒体であって、前記方法が前記正式なネットワーク・アドレスを完成させるステップを含み、前記正式なネットワーク・アドレスがユニフォーム・リソース識別子、または登録されたスキームを有する国際化リソース識別子を含む、コンピューター可読メモリ媒体。
【請求項６】
請求項１記載のコンピューター可読メモリ媒体において、１つ以上のキーワードを抽出するステップが、
前記ネットワーク・アドレス・フォーマットに対応するフォーマットを有するアドレス・テンプレートを選択するステップであって、前記アドレス・テンプレートが１つ以上のテンプレート・フィールドを含む、ステップと、
前記１つ以上のテンプレート・フィールドに対応するキーワードを、前記受け取った１つ以上のキャラクターから抽出するステップと
を含む、コンピューター可読メモリ媒体。
【請求項７】
請求項１記載のコンピューター可読メモリ媒体において、少なくとも１つアプリケーションを前記抽出したキーワードと照合するステップが、
前記抽出キーワードを、アプリケーション・キーワード・インデックスのキーワードと比較するステップと、
前記比較に基づいて、１つ以上のアプリケーションを順位付けするステップと、
順位閾値よりも高い順位を有する少なくとも１つのアプリケーションを、前記ネットワーク・アドレスと一致するアプリケーションとして選択するステップと
を含む、コンピューター可読メモリ媒体。
【請求項８】
１つ以上のアプリケーションを検索結果の機能として表出させるコンピューター実装方法であって、
ネットワーク・アドレス・フォーマットを有する複数のキャラクターを受け取るステップであって、前記複数のキャラクターが文書位置に対応する、ステップと、
アプリケーションを、前記複数のキャラクターから抽出した少なくとも１つのキーワード、および前記文書位置に関連付けられる文書から抽出した少なくとも１つのキーワードと照合するステップと、
前記１つ以上のキャラクターを受け取ったことに応答して、前記アプリケーションの内１つ以上の一致したアプリケーションの特定を伝えるステップと、
前記特定に基づいて、前記関連文書で前記１つ以上の一致したアプリケーションを表示するステップであって、前記関連文書が、見ることができる領域を有する、ステップと、
前記関連文書において前記１つ以上の一致したアプリケーションに対応するコンテンツを特定するステップと、
前記見ることができるエリアで可視となっている前記特定したコンテンツに基づいて、前記表示した１つ以上の一致したアプリケーションの表示の様式を変更するステップであって、前記変更した表示の様式が、前記表示した１つ以上の表出したアプリケーションの表示を含む、ステップと
を含む、コンピューター実装方法。
【請求項９】
請求項８記載のコンピューター実装方法において、前記複数の一致したアプリケーションが、公式のアプリケーション、コンテキスト系アプリケーション、推奨アプリケーション、および関連アプリケーションから選択される複数のカテゴリーに割り当てられる、コンピューター実装方法。
【請求項１０】
請求項８記載のコンピューター実装方法において、前記複数のアプリケーションを前記関連文書と照合するステップが、
前記抽出したキーワードに基づいてエンティティを検出するステップと、
前記検出したエンティティに基づいて、１つ以上のアプリケーションを選択するステップと
を含む、コンピューター実装方法。
【請求項１１】
請求項８記載のコンピューター実装方法であって、更に、前記アプリケーションの内少なくとも１つのアプリケーションを、アプリケーションの人気度のスコアに基づいて推奨カテゴリーに割り当てるステップを含む、コンピューター実装方法。
【請求項１２】
コンピューター実行可能命令を組み込んだ１つ以上のコンピューター可読メモリ媒体であって、前記コンピューター実行可能命令が実行されると、検索結果の機能として１つ以上のアプリケーションを表出させる方法を実行し、該方法が、
ブラウザー・アドレス・バーにおいて複数のキャラクターを検出するステップであって、前記複数のキャラクターがネットワーク・アドレス・フォーマットを有する、ステップと、
前記検出した複数のキャラクターに対応する文書位置に関連付けられる文書の第１部分を表示するステップと、
前記検出した複数のキャラクターを検索エンジンに転送するステップと、
前記関連文書の第１部分においてコンテンツと少なくとも一致する１つ以上の表出したアプリケーションの第１特定の指示を受け取るステップと、
前記第１特定に基づいて前記１つ以上のアプリケーションの内一致したアプリケーションに対応する少なくとも１つのリンクを含む前記１つ以上の表出したアプリケーションを表示するステップであって、前記少なくとも１つのリンクの表示の様式が、前記第１部分の前記コンテンツを特定する、ステップと、
前記関連文書の第２部分を表示するステップと、
第２特定において、前記関連文書の前記表示した第２部分内に位置する抽出キーワードを特定するステップと、
前記関連文書の前記表示した第２部分内に位置する前記第２特定について前記特定した抽出キーワードに基づいて、前記表示した１つ以上の表出したアプリケーションを変更するステップであって、前記一致したアプリケーションに対応する前記少なくとも１つのリンクが、前記第１特定に基づいて、当該変更される、表示した１つ以上の表出したアプリケーションに含まれ、前記少なくとも１つのリンクの表示の様式がもはや前記コンテンツを特定しないように変更され、該変更される表示の様式が前記少なくとも１つのリンクを表示する、ステップと
を含む、コンピューター可読メモリ媒体。
【請求項１３】
請求項１２記載のコンピューター可読メモリ媒体において、前記関連文書の第２部分を表示するステップが、ある方向に沿って前記文書を変換した後に可視とされる文書部分を表示するステップを含む、コンピューター可読メモリ媒体。
【請求項１４】
前記文書がユーザー入力に応答してある方向に沿って変換される、請求項１３記載のコンピューター可読メモリ媒体。
【請求項１５】
前記関連文書の第１部分の少なくとも幾らかのコンテンツが前記関連文書の第２部分の表示の間に表示される、請求項１３記載のコンピューター可読メモリ媒体。
【請求項１６】
請求項１３記載のコンピューター可読メモリ媒体において、前記関連文書の第２部分の表示が、エンティティに関連するコンテンツの表示を含み、該エンティティ関連コンテンツが前記関連文書の第１部分の表示の間には可視とはならない、コンピューター可読メモリ媒体。
【請求項１７】
請求項１２記載のコンピューター可読メモリ媒体において、前記方法が更に、
前記ブラウザー・アドレス・バーの部分的ネットワーク・アドレスに対応するキャラクターを検出するステップと、
前記部分的ネットアーク・アドレスから１つ以上のキーワードを抽出するステップと、
前記部分的ネットワーク・アドレスから抽出した前記キーワードの一致に基づいて、受け取ったアプリケーションの特定に対応する少なくとも１つの予備的リンクを表示するステップと
を含み、
前記ブラウザー・アドレス・バーにおいて前記検出した１つ以上のキャラクターが、前記部分的ネットワーク・アドレスに対応するキャラクターを含み、前記一致したアプリケーションに対応する前記少なくとも１つのリンクを含む前記１つ以上の表出したアプリケーションを表示する前記ステップが、更に、前記予備的リンクの表示を削除するステップを含む、コンピューター可読メモリ媒体。
【請求項１８】
請求項１２記載のコンピューター可読メモリ媒体において、ブラウザー・アドレス・バーにおいて１つ以上のキャラクターを検出するステップが、前記関連文書の第１部分の表示よりも前にブラウザー・アドレス・バーにおいて１つ以上のキャラクターを検出するステップを含み、前記方法が更に、
前記ブラウザー・アドレス・バーの前記１つ以上のキャラクターから１つ以上のキーワードを抽出するステップと、
前記ブラウザー・アドレス・バーの１つ以上のキャラクターから抽出した前記キーワードの一致に基づいて、受け取ったアプリケーションの特定に対応する少なくとも１つの予備的リンクを表示するステップと、
前記関連文書の第１部分の表示の後に、前記関連文書から少なくとも１つの追加のキーワードを抽出するステップであって、前記少なくとも１つの追加のキーワードが、前記表示した第１部分の一部であるコンテンツに対応する、ステップと
を含み、
前記一致したアプリケーションに対応する前記少なくとも１つのリンクを含む前記１つ以上の表出したアプリケーションを表示する前記ステップが、更に、前記予備的リンクの表示を削除するステップを含む、コンピューター可読メモリ媒体。
【請求項１９】
請求項１２記載のコンピューター可読メモリ媒体において、前記表示した１つ以上の表出したアプリケーションを変更するステップが、前記少なくとも１つのリンクの表示場所を変更するステップを含む、コンピューター可読メモリ媒体。
【請求項２０】
請求項１２記載のコンピューター可読メモリ媒体において、前記表示した１つ以上の表出したアプリケーションを変更するステップが、前記少なくとも１つのリンクに加えて、前記表示した１つ以上の表出したアプリケーションの別のリンクを含めるステップを含む、コンピューター可読メモリ媒体。